(57)【要約】【課題】本発明は個人情報記録用印書カードに個人情報記録用ＩＣカードを強固に担持し、ＩＣカードを内蔵せしめた電子パスポートを提供する。よって折り曲げや外的衝撃からＩＣチップを有効に保護すると共に、パスポートからＩＣカード乃至ＩＣチップを取り出して改ざんする偽造を有効に防止する。【解決手段】個人情報記録用印書カード５と個人情報記録用ＩＣカード２の貼り合わせ体を形成し、該貼り合わせ体を形成する個人情報記録用印書カード５ａ，６ｂの外表面（個人情報印書面）に透明の合成樹脂製保護フィルム６ａ，６ｂを貼り合わせ、上記個人情報記録用ＩＣカード２の後小口７から張り出した保護フィルムの糸綴じ代８ａ，８ｂを該後小口７に沿う線上においてビザシート９と一緒に糸綴じした構造を有する電子パスポート。【選択図】        図２
2005186373.tif 000002
【特許請求の範囲】
【請求項１】
個人情報記録用印書カードと個人情報記録用ＩＣカードの貼り合わせ体を形成し、該貼り合わせ体を形成する個人情報記録用印書カードの外表面（個人情報印書面）に透明の合成樹脂製保護フィルムを貼り合わせ、上記個人情報記録用ＩＣカードと上記個人情報記録用印書カードの後小口から張り出した保護フィルムの糸綴じ代を該後小口に沿う線上においてビザシートと一緒に糸綴じした構造を有することを特徴とする電子パスポート。
【請求項２】
２枚の個人情報記録用印書カード間に個人情報記録用ＩＣカードを介在して貼り合わせ体を形成し、該貼り合わせ体を形成する両個人情報記録用印書カードの外表面（個人情報印書面）に透明の合成樹脂製保護フィルムを夫々貼り合わせ、上記個人情報記録用ＩＣカードと上記両個人情報記録用印書カードの後小口から張り出した両保護フィルムの糸綴じ代を該後小口に沿う線上においてビザシートと一緒に糸綴じした構造を有することを特徴とする電子パスポート。
【発明の詳細な説明】
【技術分野】
【０００１】
本発明は個人情報記録用ＩＣチップを内蔵せる電子パスポートに関する。
【背景技術】
【０００２】
特許文献１，２に示すように、パスポートにおける個人情報記録手段として、個人情報の書き込み又は読み取り可能なＩＣチップを用いた電子パスポートが実施の端緒についている。
【０００３】
このＩＣチップはコイルアンテナを備え、非接触で多量の個人情報の書き込み・読み取りが可能であり、偽造防止手段として有効である。
【０００４】
他方、マレーシア国クアラルンプールに所在するＩｒｉｓ  Ｃｏｒｐｏｒａｔｉｏｎ  Ｂｅｒｈａｄから、パスポートへのＩＣチップの組み込みを目的とした個人情報記録用のＩＣカードが提供されており、このＩＣカードはパスポートのページ形成シートに適合する大きさを有するマウントシートの表面中央部に、上記個人情報記録用ＩＣチップを貼り付けてその表面を樹脂で密封した構造を有する。
【０００５】
上記ＩＣカードはＩＣチップを保護するために、マウントシートが比較的剛性の高い折れ曲がり難い板紙で形成されており、従ってこのマウントシートの後端縁をビザシートと一緒に糸綴じすることは困難であり、糸綴じ以外の方法で且つ改ざん困難な方法でＩＣカードをパスポートに組み込むための具体的方法が種々試行されている。
【０００６】
例えば、バージンパスポートのゲッター部に沿って予め小幅のフィルムを糸綴じして置き、このフィルムの端縁にＩＣカードの端縁をヒートシールする、所謂後入れ方法が最も単純な方法として考えられる。
【０００７】
然しながら上記方法ではＩＣカードを他のビザシートと同様にページ形成シートとして取り扱うことができるが、上記ヒートシール部を剥離して改ざんする偽造行為が比較的容易に行える問題を有している。
【特許文献１】特開２００１−２８７４７７号公報
【特許文献２】特開２００２−４２０７６号公報
【発明の開示】
【発明が解決しようとする課題】
【０００８】
本発明は上記ＩＣカードを改ざん困難な構造でパスポートに組み込むことができ、又ＩＣチップの保護が適切に図れ、又ＩＣカードの組み込み作業が容易であり、加えて個人情報の書き込みと読み取りの便に資することができる電子パスポートを提供するものである。
【課題を解決するための手段】
【０００９】
本発明に係る電子パスポートは、個人情報記録用印書カードと個人情報記録用ＩＣカードの貼り合わせ体を形成し、該貼り合わせ体を形成する個人情報記録用印書カードの外表面（個人情報印書面）に透明の合成樹脂製保護フィルムを貼り合わせ、上記個人情報記録用ＩＣカードと上記個人情報記録用印書カードの後小口から張り出した保護フィルムの糸綴じ代を該後小口に沿う線上においてビザシートと一緒に糸綴じした構造を有する。
【００１０】
上記基本思想に従い、２枚の個人情報記録用印書カード間に個人情報記録用ＩＣカードを介在して貼り合わせ体を形成し、該貼り合わせ体を形成する両個人情報記録用印書カードの外表面（個人情報印書面）に透明の合成樹脂製保護フィルムを夫々貼り合わせ、上記個人情報記録用ＩＣカードと上記両個人情報記録用印書カードの後小口から張り出した両保護フィルムの糸綴じ代を該後小口に沿う線上においてビザシートと一緒に糸綴じした構造にすることができる。
【発明の効果】
【００１１】
上記パスポートはＩＣカードと印書カードとの貼り合わせ体構造により、折り曲げや外的衝撃からＩＣチップを有効に保護すると共に、パスポートからＩＣカード乃至ＩＣチップを取り出して改ざんすることが困難な、偽造防止に有効なパスポートを提供できる。この偽造防止効果は２枚の印書カード間にＩＣカードを介在し積層構造にすることによって更に助長される。
【００１２】
又パスポートへのＩＣカードの組み込み作業が容易であり、加えて印書カードに印書された個人情報を読み取ってＩＣチップに書き込む作業、又はＩＣチップから個人情報を読み取り、印書カードに印書する作業が容易に行える。
【００１３】
又印書カードとＩＣカードとの貼り合わせ体を単部品として取り扱うことができ、パスポート製本と発行作業と管理の合理化、省力化を図ることができる。
【発明を実施するための最良の形態】
【００１４】
以下本発明を実施するための最良の形態を図１乃至図８に基づき説明する。
【００１５】
図４Ａ，Ｂに示すように、本発明に係る電子パスポート１に用いる個人情報記録用ＩＣカード２は、比較的剛性の高い板紙又は合成樹脂シートから成るマウントシート３の表面中央部にＩＣチップ４を担持している。
【００１６】
即ち個人情報記録用ＩＣカード２はマウントシート３の表面中央部にコイルアンテナ４ａを有するＩＣチップ４を貼り付け、その表面を樹脂にて覆い密封した構造を有する。
【００１７】
図１、図２、図３に示すように、上記個人情報記録用ＩＣカード２の電子パスポート１への担持手段として個人情報記録用印書カード５を用いる。即ち個人情報記録用印書カード５と個人情報記録用ＩＣカード２の貼り合わせ体を形成し、該貼り合わせ体を形成する個人情報記録用印書カード５の外表面（個人情報印書面）に透明の合成樹脂製保護フィルム６を貼り合わせ、上記個人情報記録用ＩＣカード２と個人情報記録用印書カード５の後小口７から張り出した保護フィルム６の糸綴じ代８を該後小口７に沿う線上においてビザシート９と一緒に糸綴じした構造を有する。
【００１８】
上記貼り合わせ体は１枚の個人情報記録用印書カード５と個人情報記録用ＩＣカード２によって構成し、両者５，２を積層しＩＣチップ４を個人情報記録用印書カード５に担持せしめる。
【００１９】
又は２枚の個人情報記録用印書カード５ａ，５ｂと個人情報記録用ＩＣカード２によって構成し、三者５ａ，５ｂ，２を積層しＩＣチップ４を２枚の個人情報記録用印書カード５ａ，５ｂ間に担持せしめる。
【００２０】
以下図５乃至図８に基づき、上記２枚の個人情報記録用印書カード５ａ、５ｂ間に上記個人情報記録用ＩＣカード２を積層する製造工程とその構造について説明する。
【００２１】
図６Ａに示すように、上記ＩＣカード２の一方の表面、即ちマウントシート３の一方の表面に第１個人情報記録用印書カード５ａを貼り合わせる。
【００２２】
次に図６Ｂに示すように、上記ＩＣカード２の他方の表面、即ちマウントシート３の他方の表面に第２個人情報記録用印書カード５ｂを貼り合わせる。
【００２３】
上記第１，第２個人情報記録用印書カード５ａ，５ｂとＩＣカード２（マウントシート３）とはパスポート１の略１ページ分に相当する大きさを有し、三者５ａ，５ｂ，２を互いに全面接着し、前小口１０と後小口７と天小口１１と地小口１２を同一線上に一致せしめる。
【００２４】
よって印書カード５ａ，５ｂとＩＣカード２の貼り合わせ体を形成する。即ち第１、第２個人情報記録用印書カード５ａ，５ｂ間にＩＣカード２、即ちＩＣチップ４をサンドイッチ状態で積層した貼り合わせ体を形成する。
【００２５】
上記第１、第２個人情報記録用印書カード５ａ，５ｂには、事前（パスポート製本前）に個人情報５′を印書によって記録して置き、上記ＩＣカード２との貼り合わせに供する。
【００２６】
即ち第１、第２個人情報記録用印書カード５ａ，５ｂの外表面に渡航者の氏名、国籍、住所、生年月日等の個人情報５′を印書によって記録して置き、このような記録済みカード５ａ，５ｂを事前に準備し、上記ＩＣカード２との積層化を図る。
【００２７】
次に図６Ｃに示すように、上記貼り合わせ体を形成する第１個人情報記録用印書カード５ａの表面に透明な第１合成樹脂製保護フィルム６ａを貼り合わせて個人情報印書面を保護すると共に、第１合成樹脂製保護フィルム６ａの後端縁を第１、第２個人情報記録用印書カード５ａ，５ｂとＩＣカード２（マウントシート３）の後小口７から糸綴じに必要な幅だけ張り出し、糸綴じ代８ａを形成する。
【００２８】
再述すると、第１合成樹脂製保護フィルム６ａのパスポート１ページ分に相当する面域に、第１個人情報記録用印書カード５ａを全面接着し、同フィルム６ａの後端縁を同カード５ａの後小口７から張り出し、糸綴じ代８ａを形成する。
【００２９】
次に図６Ｄに示すように、上記貼り合わせ体を形成する第２個人情報記録用印書カード５ｂの表面に透明な第２合成樹脂製保護フィルム６ｂを貼り合わせて個人情報印書面を保護すると共に、第２合成樹脂製保護フィルム６ｂの後端縁を第１、第２個人情報記録用印書カード５ａ，５ｂとＩＣカード２（マウントシート３）の後小口７から糸綴じに必要な幅だけ張り出し、糸綴じ代８ｂを形成する。
【００３０】
上記第２個人情報記録用印書カード５ｂに第２合成樹脂製保護フィルム６ｂを貼り合わせるに際し、同時に上記両保護フィルム６ａ，６ｂの糸綴じ代８ａ，８ｂをマウントシート３の後小口７に沿い、相互に貼り合わせる。
【００３１】
再述すると、第２合成樹脂製保護フィルム６ｂのパスポート１ページ分に相当する面域に、第２個人情報記録用印書カード５ｂを全面接着し、同フィルム６ｂの後端縁を同カード５ｂの後小口７から張り出して糸綴じ代８ｂを形成し、該糸綴じ代８ｂを第１合成樹脂製保護フィルム６ａの糸綴じ代８ａと重ね合わせ貼り合わせる。
【００３２】
よって個人情報記録用ＩＣカード２と、第１、第２個人情報記録用印書カード５ａ，５ｂと、第１、第２合成樹脂製保護フィルム６ａ，６ｂの貼り合わせ体、即ち糸綴じ代８ａ，８ｂを有する貼り合わせ体を形成する。
【００３３】
上記図６Ｂにおいては、第１個人情報記録用印書カード５ａをＩＣカード２のＩＣチップ４が突出した側に貼り合わせてＩＣチップ４表面に貼り合わせ、次に図６Ｃに示すように、第２個人情報記録用印書カード５ｂをＩＣカード２のＩＣチップ４が突出した側とは反対側の表面に貼付している。
【００３４】
然しながらこれとは逆に、上記第２個人情報記録用印書カード５ｂをＩＣカード２を形成するマウントシート３のＩＣチップ４が突出した側とは反対側の表面に貼付した後、上記第１個人情報記録用印書カード５ａを上記ＩＣカード２のＩＣチップ４が突出した側の表面に貼付することができる。
【００３５】
上記第１、第２合成樹脂製保護フィルム６ａ，６ｂを第１、第２個人情報記録用印書カード５ａ，５ｂに貼付した貼り合わせ体は、バージンパスポートとは別に事前に準備することができる。
【００３６】
又は第１、第２合成樹脂製保護フィルム６ａ，６ｂをバージンパスポートに糸綴じして置き、事前に準備した第１、第２個人情報記録用印書カード５ａ，５ｂと個人情報記録用ＩＣカード２の貼り合わせ体を上記バージンパスポートの保護フィルム６ａ，６ｂ間に後入れして、両保護フィルム６ａ，６ｂに貼り合わせることができる。
【００３７】
又は１枚の合成樹脂製保護フィルム６ａをバージンパスポートに糸綴じして置き、事前に準備した１枚の個人情報記録用印書カード５ａと個人情報記録用ＩＣカード２の貼り合わせ体を上記バージンパスポートの保護フィルム６ａに重ね、貼り合わせることができる。
【００３８】
上記第１、第２保護フィルム６ａ，６ｂと、第１、第２印書カード５ａ，５ｂと、ＩＣカード２（マウントシート３）とは天小口１１と地小口１２と前小口１０が同一線上に一致するように貼り合わせられ、積層構造を形成する。
【００３９】
図８はＩＣカード２と第１、第２個人情報記録用印書カード５ａ，５ｂの貼り合わせ工程と、第１、第２合成樹脂製保護フィルム６ａ，６ｂの貼付工程を実施する装置を例示している。
【００４０】
図８に示すように、個人情報記録用ＩＣカード２を水平な搬送路の上面に平置きしつつ前方へ間欠移送し、該移送過程で第１個人情報記録用印書カード５ａの積載体から１枚ずつ取り出してＩＣカード２の一方の表面に重ね、両者５ａ，２の前小口１０を一致させて多点付け熱プレス装置１６にて前小口１０に沿う線上で多点付け（仮付け）する。
【００４１】
次に上記ＩＣカード２と第１個人情報記録用印書カード５ａの貼り合わせ体を反転して前方へ間欠移送し、該移送過程で第２個人情報記録用印書カード５ｂの積載体から１枚ずつ取り出してＩＣカード２の他方の表面に重ね、両者５ｂ，２の前小口１０を一致させて多点付け熱プレス装置１６にて前小口１０に沿う線上で多点付け（仮付け）する。
【００４２】
次に上記ＩＣカード２に上記第１、第２個人情報記録用印書カード５ａ，５ｂを仮付けしたものを熱プレス盤１７にて加圧しつつ加熱し、三者２，５ａ，５ｂの貼り合わせ体を形成する。
【００４３】
次に保護フィルムを多重巻きした原反ロールから第１合成樹脂製保護フィルム６ａを巻出しつつ所定寸法に切断し、該所定寸法に切断された第１合成樹脂製保護フィルム６ａを第２個人情報記録用印書カード５ｂ（又は第１個人情報記録用印書カード５ａ）の外表面に重ね合わせると共に、三者６ａ，５ｂ（又は５ａ），２の前小口１０を一致させて多点付け熱プレス装置１６にて前小口１０に沿う線上にて多点付け（仮付け）する。
【００４４】
次に上記第１合成樹脂製保護フィルム６ａを仮付けしたものを反転した後、保護フィルムを多重巻きした原反ロールから第２合成樹脂製保護フィルム６ｂを巻出しつつ所定寸法に切断し、該所定寸法に切断された第２合成樹脂製保護フィルム６ｂを第１個人情報記録用印書カード５ａ（又は第２個人情報記録用印書カード５ｂ）の外表面に重ね合わせると共に、三者６ｂ，５ａ（又は５ｂ），２の前小口１０を一致させて多点付け熱プレス装置１６にて前小口１０に沿う線上にて多点付け（仮付け）する。
【００４５】
次に熱プレス盤１７により加圧しつつ加熱し、よって第１、第２合成樹脂製保護フィルム６ａ，６ｂの重ね合わせ面にコーティングした熱可塑性接着剤を軟化して第１、第２個人情報記録用印書カード５ａ，５ｂの重ね合わせ面にヒートシールし、同時に糸綴じ代８ａ，８ｂ相互をヒートシールし、よってＩＣカード２と第１、第２個人情報記録用印書カード５ａ，５ｂと第１、第２合成樹脂製保護フィルム６ａ，６ｂの貼り合わせ体、即ち糸綴じ代を有する貼り合わせ体を形成する。
【００４６】
次に図７Ａに示すように、ＩＣカード２と印書カード５ａ，５ｂと保護フィルム６ａ，６ｂの貼り合わせ体に、パスポート２ページ分の大きさを有するビザシート９と同カバー裏張りシート１３を丁合し、ビザシート９とカバー裏張りシート１３の中央線上においてミシンを用い糸綴じし、同時に貼り合わせられた糸綴じ代８ａ，８ｂをマウントシート３の後小口７に沿う線上において糸綴じする。該糸綴じによって印書カード５ａ，５ｂとＩＣカード２の貼り合わせ体をパスポート１に保有せしめる。
【００４７】
上記ビザシート９は第１、第２合成樹脂製保護フィルム６ａ，６ｂの一方の外表面に丁合し、上記カバー裏張りシート１３は第１、第２合成樹脂製保護フィルム６ａ，６ｂの他方の表面に丁合し、上記糸綴じを行う。
【００４８】
次に図７Ｂに示すように、上記糸綴じされたカバー裏張りシート１３の外表面にカバー１４を丁合し貼り合わせる。このカバー１４はその表面に接着剤を塗布し、該接着剤塗布面をカバー裏張りシート１３の外表面に押し付け貼り合わせる。
【００４９】
次に図７Ｃに示すように、上記カバー１４を貼り合わせた後に、上記糸綴じ線上において二つ折りし、折り丁１５を形成する。
【００５０】
次に図７Ｄに示すように、上記折り丁１５に熱プレスを施し、糸綴じ線上から張り出した糸綴じ代８をカバー裏張りシート１３の基部表面に貼り合わせる。
【００５１】
上記第１、第２個人情報記録用印書カード５ａ，５ｂの貼り合わせ方法としては、同カード５ａ，５ｂの表面にコーティングしてある熱可塑性接着剤を熱プレスによって軟化し、個人情報記録用ＩＣカード２の表面に接着剤を介して貼り合わせる。
【００５２】
又は同カード５ａ，５ｂの表面に接着剤を塗布しつつ、該塗布面をＩＣカード２の表面に押し付けて貼り合わせる。
【００５３】
他方上記保護フィルム６ａ，６ｂの貼り合わせ方法としては、上記ヒートシール、超音波シール、高周波シールの何れかを適用する。好ましくは保護フィルム６ａ，６ｂの表面にコーティングしてある熱可塑性接着剤を熱プレスによって軟化し、第１、第２個人情報記録用印書カード５ａ，５ｂの表面に接着剤を介して貼り合わせるヒートシール方法を採る。
【００５４】
同時に第２合成樹脂製保護フィルム６ｂの糸綴じ代８ｂをカバー裏張りシート１３に貼り合わせる。又は次に説明するように、糸綴じ代８ａ，８ｂの双方をカバー裏張りシート１３の基部表面にヒートシール等によって貼り合わせる。
【００５５】
即ち図５Ａ，Ｂに示すように、上記第１合成樹脂製保護フィルム６ａの糸綴じ代８ａの張り出し幅を、第２合成樹脂製保護フィルム６ｂの糸綴じ代８ｂの張り出し幅より長くし、糸綴じ代８ａの後端縁に貼り合わせ代８ｃを形成する。
【００５６】
即ち第１、第２合成樹脂製保護フィルム６ａ，６ｂは糸綴じ代８ａ，８ｂを有すると共に、第１合成樹製保護フィルム６ａは第２合成樹脂製保護フィルム６ｂの糸綴じ代８ｂの後小口から張り出す貼り合わせ代８ｃを有する。
【００５７】
上記糸綴じ代８ｂの後小口から張り出した貼り合わせ代８ｃは図５Ｂに示すように、糸綴じ代８ｂの後小口を覆いながらカバー裏張りシート１３にヒートシール等にて貼り合わせられる。
【００５８】
即ち糸綴じ代８ａ，８ｂは相互に貼り合わせられながら、貼り合わせ代８ｃがカバー裏張りシート１３の基部表面に貼り合わせられる。この貼り合わせ構造は保護フィルムの剥離と除去を困難にし、ＩＣカード２の取り出しを困難にして改ざん防止効果を高める。
【００５９】
上記糸綴じ代８ａ，８ｂは図７Ｃの折り丁１５を形成する前に互いにヒートシール等にて貼り合わせるか、又は折り丁１５を形成した後図７Ｄに示す工程にて互いにヒートシール等にて貼り合わせることができる。
【００６０】
上記個人情報記録用印書カードが１枚である場合には、第１個人情報記録用印書カード５ａを個人情報記録用ＩＣカード２のＩＣチップ４が突出する側に貼付し、該印書カード５ａの外表面に第１合成樹脂製保護フィルム６ａを貼付し、三者５ａ，３，６ａの貼り合わせ体を形成し、第２個人情報記録用印書カード５ｂと第２合成樹脂製保護フィルム６ｂは用いない。
【図面の簡単な説明】
【００６１】
【図１】ＩＣカードを用いて個人情報記録用印書カードにＩＣチップ（ＩＣカード）を内蔵せしめた電子パスポートを示す斜視図。
【図２】部分拡大図を付記した図１におけるＡ−Ａ線断面図。
【図３】図１におけるＢ−Ｂ線断面図。
【図４】ＡはＩＣカードの断面図、Ｂは同平面図。
【図５】ＡはＩＣカードと第１、第２個人情報記録用印書カードと第１、第２合成樹脂製保護フィルムとを貼り合わせ前の状態を以って示す断面図、Ｂは同貼り合わせ後の状態を以って示す断面図。
【図６】Ａ乃至Ｄは上記電子パスポートにおける図５Ｂに示す貼り合わせ体の製造方法を工程順に示す断面図。
【図７】Ａ乃至Ｄは上記図６によって形成された電子パスポートに引き続く工程を工程順に示す断面図。
【図８】上記図６によって形成される貼り合わせ体の製造装置を工程順に示す斜視図。
【符号の説明】
【００６２】
１…電子パスポート、２…個人情報記録用ＩＣカード、３…マウントシート、４…ＩＣチップ、４ａ…コイルアンテナ、５…個人情報記録用印書カード、５ａ…第１個人情報記録用印書カード、５ｂ…第２個人情報記録用印書カード、５′…個人情報、６…合成樹脂製保護フィルム、６ａ…第１合成樹脂製保護フィルム、６ｂ…第２合成樹脂製保護フィルム、７…後小口、８ａ，８ｂ…糸綴じ代、８ｃ…貼り合わせ代、９…ビザシート、１０…前小口、１１…天小口、１２…地小口、１３…カバー裏張りシート、１４…カバー、１５…折り丁、１６…多点付け熱プレス装置、１７…熱プレス盤
【図１】
2005186373.tif 000003
【図２】
2005186373.tif 000004
【図３】
2005186373.tif 000005
【図４】
2005186373.tif 000006
【図５】
2005186373.tif 000007
【図６】
2005186373.tif 000008
【図７】
2005186373.tif 000009
【図８】
2005186373.tif 000010